(57)【要約】【課題】フレキシブル基板の占有スペースを削減して小型化を図る。【解決手段】鏡筒１０は、ベース１２と、２群レンズ１６を保持する第２レンズ保持枠１６０２と、第２レンズ保持枠１６０２に取着された電装部１９と、ベース１２から立設されたガイド柱５０とを有している。ベース１２の前方に導出されたフレキシブル基板８０を第２レンズ保持枠１６０２の内周面１６２０に臨むガイド柱５０の面に沿って配設する。これにより、フレキシブル基板８０はガイド溝１６０４とガイド柱５０とで構成される空間に沿って延在することになる。フレキシブル基板８０の基端部をフレキシブル基板６０にハンダ付けなどにより電気的に接続し固定する。フレキシブル基板８０の先端部を電装部１９にハンダ付けなどにより電気的に接続し固定する。【選択図】        図３３
2006064833.tif 000002
【特許請求の範囲】
【請求項１】
ベースと、
前記ベースに対して回転不能かつ軸方向に移動可能に設けられレンズを保持するレンズ保持枠と、
前記レンズ保持枠に取着された電装部と、
前記ベースから延出され前記電装部に信号の授受を行うフレキシブル基板とを有する沈胴式レンズ鏡筒であって、
前記軸方向に延在し前記レンズ保持枠の内周面に臨む柱体が前記ベースから立設され、
前記フレキシブル基板は、前記レンズ保持枠の内周面に臨む前記柱体の面に沿って前記ベースから延出されその先端が前記電装部に接続されている、
ことを特徴とする沈胴式レンズ鏡筒。
【請求項２】
前記レンズ保持枠の内周面に前記軸方向に延在するガイド溝が設けられ、前記柱体は前記ガイド溝に前記軸方向に移動可能に結合されて前記レンズ保持枠を前記軸方向に移動可能に案内するガイド柱として構成され、前記フレキシブル基板は前記ガイド溝の底面とこの底面に臨む前記柱体の面とで構成される空間に沿って延在していることを特徴とする請求項１記載の沈胴式レンズ鏡筒。
【請求項３】
前記ガイド溝は前記レンズ保持枠の周方向に間隔をおいて複数設けられ、前記柱体も複数設けられ前記複数のガイド溝にそれぞれ前記軸方向に移動可能に結合され、これにより前記複数の柱体により前記レンズ保持枠が径方向に回転不能かつ軸方向に移動可能に支持され、前記フレキシブル基板はそれら複数の柱体のうちの少なくとも一つの柱体の面に沿って配設されていることを特徴とする請求項１記載の沈胴式レンズ鏡筒。
【請求項４】
前記柱体は、その断面が、ウェブと、このウェブの両端のフランジからなるI字状を呈し、前記断面を構成する前記ウェブの延在方向が、前記柱体の半径方向外方に位置する前記レンズ保持枠箇所を通る接線に平行するように配置され、前記フレキシブル基板は両端のフランジの間でウェブに沿って配設されていることを特徴とする請求項１記載の沈胴式レンズ鏡筒。
【請求項５】
前記ガイド溝は、互いに対向する側面とそれら側面の奥部を接続する底面とで前記レンズ保持枠の半径方向内側に開放状に形成され、前記柱体は、その断面が、ウェブと、このウェブの両端のフランジからなるI字状を呈し、前記断面を構成する前記ウェブの延在方向が、前記柱体の半径方向外方に位置する前記レンズ保持枠箇所を通る接線に平行するように配置され、両端のフランジの外面が前記ガイド溝の側面に係合することで前記レンズ保持枠の周方向への動きが阻止され、両端のフランジの端面が前記ガイド溝の底面に係合することで前記レンズ保持枠の半径方向への動きが阻止され、前記フレキシブル基板は前記ガイド溝内でかつ両端のフランジの間でウェブに沿って配設されていることを特徴とする請求項１記載の沈胴式レンズ鏡筒。
【請求項６】
前記フレキシブル基板よりも硬い材料で形成された補強板が前記柱体の長さに対応した長さで設けられ、前記補強板は、前記フレキシブル基板が前記柱体の面に臨む箇所に前記柱体に沿って延在するように取着されていることを特徴とする請求項１記載の沈胴式レンズ鏡筒。
【請求項７】
前記補強板は硬質の合成樹脂で形成されていることを特徴とする請求項６記載の沈胴式レンズ鏡筒。
【請求項８】
前記柱体の面に沿って延出するフレキシブル基板の部分は前記柱体に接着剤により接着されていることを特徴とする請求項１記載の沈胴式レンズ鏡筒。
【請求項９】
前記レンズ保持枠は最も前方に位置した望遠状態と、最も後退した沈胴状態との間で移動し、前記フレキシブル基板の先端寄り部分は、前記望遠状態で、前記柱体の前端から前方に延在し、前記沈胴状態で、前記柱体の前端で折り返され前記レンズ保持枠の内周面に臨む前記柱体の面とは反対側に位置する前記柱体の面に沿って前記ベース側に向けて延在することを特徴とする請求項１記載の沈胴式レンズ鏡筒。
【請求項１０】
前記ベースと前記柱体は共に合成樹脂製で、前記ベースと前記柱体は一体成型されていることを特徴とする請求項１記載の沈胴式レンズ鏡筒。
【請求項１１】
前記柱体は、前記レンズ保持枠の周方向に等間隔をおいて３つ設けられていることを特徴とする請求項１記載の沈胴式レンズ鏡筒。
【請求項１２】
被写体像を導くレンズと、このレンズによって導かれた被写体像を撮像する撮像素子とを有する沈胴式レンズ鏡筒を備えた撮像装置であって、
前記沈胴式レンズ鏡筒は、
ベースと、
前記ベースに対して回転不能かつ軸方向に移動可能に設けられ前記レンズを保持するレンズ保持枠と、
前記レンズ保持枠に取着された電装部と、
前記ベースから延出され前記電装部に信号の授受を行うフレキシブル基板と、
前記ベースから立設され前記軸方向に延在し前記レンズ保持枠の内周面に臨む柱体とを備え、
前記フレキシブル基板は、前記レンズ保持枠の内周面に臨む前記柱体の面に沿って前記ベースから延出されその先端が前記電装部に接続されている、
ことを特徴とする撮像装置。
【請求項１３】
前記レンズ保持枠の内周面に前記軸方向に延在するガイド溝が設けられ、前記柱体は前記ガイド溝に前記軸方向に移動可能に結合されて前記レンズ保持枠を前記軸方向に移動可能に案内するガイド柱として構成され、前記フレキシブル基板は前記ガイド溝の底面とこの底面に臨む前記柱体の面とで構成される空間に沿って延在していることを特徴とする請求項１２記載の撮像装置。
【請求項１４】
前記ガイド溝は前記レンズ保持枠の周方向に間隔をおいて複数設けられ、前記柱体も複数設けられ前記複数のガイド溝にそれぞれ前記軸方向に移動可能に結合され、これにより前記複数の柱体により前記レンズ保持枠が径方向に回転不能かつ軸方向に移動可能に支持され、前記フレキシブル基板はそれら複数の柱体のうちの少なくとも一つの柱体の面に沿って配設されていることを特徴とする請求項１２記載の撮像装置。
【請求項１５】
前記柱体は、その断面が、ウェブと、このウェブの両端のフランジからなるI字状を呈し、前記断面を構成する前記ウェブの延在方向が、前記柱体の半径方向外方に位置する前記レンズ保持枠箇所を通る接線に平行するように配置され、前記フレキシブル基板は両端のフランジの間でウェブに沿って配設されていることを特徴とする請求項１２記載の撮像装置。
【請求項１６】
前記ガイド溝は、互いに対向する側面とそれら側面の奥部を接続する底面とで前記レンズ保持枠の半径方向内側に開放状に形成され、前記柱体は、その断面が、ウェブと、このウェブの両端のフランジからなるI字状を呈し、前記断面を構成する前記ウェブの延在方向が、前記柱体の半径方向外方に位置する前記レンズ保持枠箇所を通る接線に平行するように配置され、両端のフランジの外面が前記ガイド溝の側面に係合することで前記レンズ保持枠の周方向への動きが阻止され、両端のフランジの端面が前記ガイド溝の底面に係合することで前記レンズ保持枠の半径方向への動きが阻止され、前記フレキシブル基板は前記ガイド溝内でかつ両端のフランジの間でウェブに沿って配設されていることを特徴とする請求項１２記載の撮像装置。
【請求項１７】
前記フレキシブル基板よりも硬い材料で形成された補強板が前記柱体の長さに対応した長さで設けられ、前記補強板は、前記フレキシブル基板が前記柱体の面に臨む箇所に前記柱体に沿って延在するように取着されていることを特徴とする請求項１２記載の撮像装置。
【請求項１８】
前記補強板は硬質の合成樹脂で形成されていることを特徴とする請求項１７記載の沈胴式レンズ鏡筒。
【請求項１９】
前記柱体の面に沿って延出するフレキシブル基板の部分は前記柱体に接着剤により接着されていることを特徴とする請求項１２記載の撮像装置。
【請求項２０】
前記レンズ保持枠は最も前方に位置した望遠状態と、最も後退した沈胴状態との間で移動し、前記フレキシブル基板の先端寄り部分は、前記望遠状態で、前記柱体の前端から前方に延在し、前記沈胴状態で、前記柱体の前端で折り返され前記レンズ保持枠の内周面に臨む前記柱体の面とは反対側に位置する前記柱体の面に沿って前記ベース側に向けて延在することを特徴とする請求項１２記載の撮像装置。
【請求項２１】
前記ベースと前記柱体は共に合成樹脂製で、前記ベースと前記柱体は一体成型されていることを特徴とする請求項１２記載の撮像装置。
【請求項２２】
前記柱体は、前記レンズ保持枠の周方向に等間隔をおいて３つ設けられていることを特徴とする請求項１２記載の撮像装置。
【発明の詳細な説明】
【技術分野】
【０００１】
本発明は沈胴式レンズ鏡筒および撮像装置に関する。
【背景技術】
【０００２】
デジタルスチルカメラやデジタルビデオカメラ等の撮像装置のレンズ鏡筒として、撮像装置のケースに組み込まれたベースに対して回転不能かつ軸方向に移動可能に設けられたレンズ保持枠を設け、このレンズ保持枠を光軸方向に移動させることでレンズ鏡筒をケース内方に収容した沈胴状態とケース外方に突出した突出状態とにする沈胴式レンズ鏡筒が知られている（例えば特許文献１、２参照）。
【０００３】
【特許文献１】特開２００２−２６７９１７号公報
【特許文献２】特開２００４−１７０７７２号公報
【発明の開示】
【発明が解決しようとする課題】
【０００４】
ところで、このようなレンズ保持枠にシャッタ機構あるいは絞り機構などの電装部を設け、この電装部に信号を供給することで電装部を動作させる場合、信号を電装部に伝送する配線部材としてレンズ保持枠の移動に追従して変形可能なフレキシブル基板が用いられることが多い。
レンズ鏡筒の小型化を図る上で、このようなフレキシブル基板がレンズ保持部の移動を阻害することなくレンズ鏡筒内部に占めるスペースを如何に削減するかが重要となってきている。
本発明はこのような事情に鑑みなされたもので、その目的はレンズ保持部の移動を円滑に行いつつフレキシブル基板の占有スペースを削減し小型化を図る上で有利な沈胴式レンズ鏡筒および撮像装置を提供することにある。
【課題を解決するための手段】
【０００５】
上述の目的を達成するため、本発明は、ベースと、前記ベースに対して回転不能かつ軸方向に移動可能に設けられレンズを保持するレンズ保持枠と、前記レンズ保持枠に取着された電装部と、前記ベースから延出され前記電装部に信号の授受を行うフレキシブル基板とを有する沈胴式レンズ鏡筒であって、前記軸方向に延在し前記レンズ保持枠の内周面に臨む柱体が前記ベースから立設され、前記フレキシブル基板は、前記レンズ保持枠の内周面に臨む前記柱体の面に沿って前記ベースから延出されその先端が前記電装部に接続されていることを特徴とする。
また本発明は、被写体像を導くレンズと、このレンズによって導かれた被写体像を撮像する撮像素子とを有する沈胴式レンズ鏡筒を備えた撮像装置であって、前記沈胴式レンズ鏡筒は、ベースと、前記ベースに対して回転不能かつ軸方向に移動可能に設けられ前記レンズを保持するレンズ保持枠と、前記レンズ保持枠に取着された電装部と、前記ベースから延出され前記電装部に信号の授受を行うフレキシブル基板と、前記ベースから立設され前記軸方向に延在し前記レンズ保持枠の内周面に臨む柱体とを備え、前記フレキシブル基板は、前記レンズ保持枠の内周面に臨む前記柱体の面に沿って前記ベースから延出されその先端が前記電装部に接続されていることを特徴とする。
【発明の効果】
【０００６】
本発明によれば、軸方向に延在しレンズ保持枠の内周面に臨むガイド柱がベースから立設され、フレキシブル基板は、レンズ保持枠の内周面に臨むガイド柱の面に沿ってベースから延出されその先端が電装部に接続されているので、レンズ保持枠が移動してもフレキシブル基板はガイド柱に沿った状態が保たれるため、フレキシブル基板の部分がレンズ保持枠に干渉することなくレンズ保持枠の円滑な移動を確保しつつ、フレキシブル基板の占有スペースを最小限に維持することができ、鏡筒の小型化を図る上で有利となり、ひいては撮像装置の小型化を図る上でも有利となる。
【発明を実施するための最良の形態】
【０００７】
レンズ保持部の移動を円滑に行いつつフレキシブル基板の占有スペースを削減し小型化を図るという目的を、フレキシブル基板をベースから立設された柱体の面に沿わせて電装部に接続することによって実現した。
【実施例１】
【０００８】
次に本発明の実施例１について図面を参照して説明する。
図１は実施例１の撮像装置を前方から見た斜視図、図２は実施例１の撮像装置を後方から見た斜視図、図３は実施例１の撮像装置の構成を示すブロック図である。
図１に示すように、本実施例の撮像装置１００はデジタルスチルカメラであり、外装を構成するケース１０２を有している。なお、本明細書において左右は、撮像装置１００を前方から見た状態でいうものとし、また、光学系の光軸方向で被写体側を前方といい、撮像素子側を後方という。
ケース１０２の前面右側部寄りの箇所には撮影光学系１０４を収容保持する沈胴式の鏡筒１０が設けられ、ケース１０２の前面上部寄りの箇所には閃光を発光するフラッシュ部１０６などが設けられている。
鏡筒１０はケース１０２の内部に組み込まれた駆動部１４６（図３）によってケース１０２の前面から前方に突出した使用位置（広角状態、望遠状態、および広角乃至望遠の中間状態）とケース１０２の前面に収容された収容位置（沈胴状態）との間を出没するように構成されている。
ケース１０２の上端面には、撮像を行うためのシャッタボタン１０８、撮影光学系１０４のズームを調整するためのズーム操作スイッチ１１０、再生モードの切り換えなどを行なうためのモード切り換えスイッチ１１２、電源のオンオフを行うための電源スイッチ１１４が設けられ、ケース１０２の後面には、撮像した映像を表示するディスプレイ１１６、撮影、記録、映像表示などの種々の動作にまつわる操作を行うための複数の操作スイッチ１１８、ディスプレイ１１６上に表示されるメニューを選択するなどの操作を行うための制御スイッチ１２０などが設けられている。
本実施例では、モード切り換えスイッチ１１２は、いわゆるスライドスイッチで構成され、ケース１０２の上端面から突出する操作部材１１２Ａを有し、この操作部材１１２Ａを指で左右方向にスライドすることでモードの切り換え動作がなされるように構成されている。
また、制御スイッチ１２０は、ケース１０２の後面から後方に突出する操作部材１２０Ａを有し、操作部材１２０Ａはその先端面を指で動かすことにより上下方向および左右方向の４方向に傾動可能に、かつ、その先端面を指でケース１０２の厚さ方向に押圧可能に構成されている。
具体的には、制御スイッチ１２０は、操作部材１２０Ａを上下方向および左右方向に動かすことで、例えばディスプレイ１１６上に表示されるカーソルの位置を上下左右に動かしたり、ディスプレイ１１６上に表示される数値などを変更（増減）させることができるように構成されている。また、制御スイッチ１２０は、操作部材１２０Ａを押圧することでディスプレイ１１６上に表示される複数の選択項目（メニュー）の決定や入力欄に表示されている数値の入力を行うことができるように構成されている。
【０００９】
図３に示すように、鏡筒１０の後部には、撮影光学系１０４によって結像された被写体像を撮像するＣＣＤやＣＭＯＳセンサなどで構成された撮像素子１４０が配設され、撮像装置１００は、撮像素子１４０から出力された撮像信号に基づいて画像データを生成し、メモリカードなどの記憶媒体１４１に記録する画像処理部１４２、前記画像データをディスプレイ１１６に表示させる表示処理部１４４、前記駆動部１４６、制御部１４８などを備えている。制御部１４８は、シャッタボタン１０８、ズーム操作スイッチ１１０、モード切替スイッチ１１２、電源スイッチ１１４、操作スイッチ１１８、制御スイッチ１２０の操作に応じて画像処理部１４２、表示処理部１４４、駆動部１４６を制御するものであり、制御プログラムによって動作を行うＣＰＵを有している。
【００１０】
次に、鏡筒１０の概略構成について説明する。
図４は鏡筒１０の状態を説明する斜視図で、（Ａ）が不使用時のレンズ収納状態すなわち沈胴状態を示し、（Ｂ）が使用時のレンズ突出状態（広角状態あるいは望遠状態）を示す。
図５は沈胴状態にある鏡筒１０の断面図、図６は広角状態にある鏡筒１０の断面図、図７は望遠状態にある鏡筒１０の断面図である。
図８は鏡筒１０を前方から見た分解斜視図、図９は図８のうち第３レンズ保持枠、ベース、フレキシブル基板を示す分解斜視図、図１０は図８のうち第１レンズ保持枠、第２レンズ保持枠、自動露光装置を示す分解斜視図、図１１は図８のうち固定環、カム環を示す分解斜視図である。
図１２は第１レンズ保持枠、第２レンズ保持枠、ベースを示す分解斜視図、図１３は図１２の組み立て図、図１４はカム環、第１レンズ保持枠、第２レンズ保持枠、ベースを示す分解斜視図、図１５は図１４の組み立て図である。
図１６は鏡筒１０を後方から見た分解斜視図、図１７は図１６のうち第３レンズ保持枠、ベース、フレキシブル基板を示す分解斜視図、図１８は図１６のうち第１レンズ保持枠、第２レンズ保持枠、自動露光装置、第３レンズ保持枠を示す分解斜視図、図１９は図１６のうち固定環、カム環、第１レンズ保持枠を示す分解斜視図である。
図２０は第１レンズ保持枠、第２レンズ保持枠、ベースを示す分解斜視図、図２１は固定環、カム環、第１レンズ保持枠、第２レンズ保持枠、第３レンズ保持枠、フレキシブル基板の組み立て図である。
図２２は第３レンズ保持枠、ベースの分解斜視図、図２３は図２２の組み立て図、図２４は図２３のＡ矢視図、図２５は図２４のＸＸ線断面図である。
図２６は第１レンズ保持枠、第２レンズ保持枠、ベースが組み立てられた状態で光軸と平行な面で破断した状態を示す斜視図、図２７はレンズ鏡筒を光軸と平行な面で破断した断面図、図２８はレンズ鏡筒を光軸と平行な面で破断した断面図、図２９は図２８のＹＹ線断面図である。
なお、本明細書の図面においては、レンズの表面あるいは各部材の表面、各部品の表面に複数の直線が描かれている箇所が存在しているが、これは作図上表示されているものであり、これら複数の直線が描かれた箇所は、実際には円筒面あるいは曲面あるいは球面をなしている箇所である。
【００１１】
図５〜図７に示すように、鏡筒１０に収容された撮影光学系１０４は光学的には３群構成である。すなわち、鏡筒１０（撮影光学系１０４）の光軸方向で被写体側を前方とし、前記光軸方向で撮像素子１１６側を後方としたとき、撮影光学系を構成する３群は、前方から後方に向かってこの順番で配設された１群レンズ１４、２群レンズ１６、３群レンズ１８によって構成されている。
鏡筒１０は、１群レンズ１４と２群レンズ１６が所定のカムカーブにより前記光軸方向に駆動されることによってズーミングを行い、３群レンズ１８が前記光軸方向に微小に変位されることによってフォーカッシングを行う。すなわち、１群レンズ１４と２群レンズ１６の変位によって焦点距離を可変し、この焦点距離の変化によって生じた合焦位置のずれを３群の変位によって修正し適切に合焦させるように構成されている。
【００１２】
図８、図１６に示すように鏡筒１０は、ケース１０２に固定されるベース１２と、第３レンズ保持枠１８を保持する第３レンズ保持枠１８０２と、電装部１９と、２群レンズ１６を保持する第２レンズ保持枠１６０２と、１群レンズ１４を保持する第１レンズ保持枠１４０２と、カム環２０と、固定環２２とを有している。
【００１３】
図９、図１７、図２５に示すように、ベース１２は、板状のベース本体１２０２と、ベース本体１２０２に連結されたギア収容部１２５０とを有し、本実施例ではベース１２は合成樹脂製である。
ベース本体１２０２の中央には開口１２０４が貫通形成され、ベース本体１２０２が後方に臨む後面１２１２には、開口１２０４の周囲を囲むように凹部１２０６が設けられ、撮像素子１４０はその撮像面が開口１２０４に臨むように凹部１２０６に接着などによって取着されている。
図１２、図２９に示すように、ベース本体１２０２が前方に臨む前面１２１４には、撮影光学系１０４の光軸を中心とする円筒状に沿って円筒壁１２０８が立設されている。
円筒壁１２０８の外周には周方向に間隔をおいて４つの係合片１２１０が半径方向外方に突設されており、これら係合片１２１０がカム環２０の内周に周方向にわたって延在形成された係合溝２００２に係合することで、カム環２０はベース１２に対してカム環２０の周方向に回転可能にかつカム環２０の軸方向に移動不能に支持される。なお、図１９に示すように、カム環２０にはカム環２０の端部に開放され係合溝２００２に接続された開放溝２００３が形成されており、係合片１２１０の係合溝２００２への係合は、開放溝２００３から係合片１２１０を係合溝２００２に挿入することでなされる。
【００１４】
図２３に示すように、ベース本体１２０２の前面１２１４の円筒壁１２０８の内側箇所には、第３レンズ保持枠１８０２を前記光軸方向に案内するための２本のガイド軸１２１６，１２１８が開口１２０４を挟むように設けられ、これらガイド軸１２１６，１２１８は撮影光学系１０４の光軸と平行して延在している。
一方のガイド軸１２１６は、後端が前面１２１４に固定されている。
他方のガイド軸１２１８は、後端が前面１２１４に固定され、前端が支持部１２２０により支持されている。
支持部１２２０は、前面１２１４から立設された第１、第２支持壁１２２０Ａ、１２２０Ｂとその前端を連結する第１連結壁１２２０Ｃとで構成され、ガイド軸１２１８の前端は第１連結壁１２２０Ｃに固定されている。
【００１５】
図２２、図２３、図２４、図２５に示すように、ベース本体１２０２の前面１２１４には、支持部１２２０に隣接してマグネット取付部１２２２が設けられている。
図２２に示すように、マグネット取付部１２２２は、前記第１支持壁１２２０Ａと、第１支持壁１２２０Ａに対して第２支持壁１２２０Ｂとは反対方向で前記光軸の回り方向に間隔をおいて前面１２１４から立設された第３支持壁１２２２Ａと、第１連結壁１２２０Ｂと接続され第１支持壁１２２０Ａと第３支持壁１２２２Ａの先端を連結する第２連結壁１２２２Ｂと、第１、第３支持壁１２２０Ａ、１２２２Ａの間の前面１２１４箇所とによって長手方向を前記光軸方向に合せた矩形枠状に形成されている。
マグネット取付部１２２２の内側には、帯板状の駆動用マグネット４００２と、この駆動用マグネット４００２よりも輪郭が一回り大きく駆動用マグネット４００２の厚さ方向の一方の面に取着された帯板状のバックヨーク４００４とがそれらの延在方向を前記光軸方向と合わせて挿入され取着される。
駆動用マグネット４００２は、Ｎ極とＳ極の一方に着磁された第１領域とＮ極とＳ極の他方に着磁された第２領域が駆動用マグネット４００２の長手方向に沿って交互に並べて配置され、駆動用マグネット４００２が前記光軸に臨むように、かつ、駆動用マグネット４００２の前記第１、第２領域が前記光軸を中心とする円周の接線と平行するように配置される。
【００１６】
図９に示すように、ベース本体１２０２の前面１２１４には、円筒壁１２０８の周方向に等間隔をおいて（後述する第２レンズ保持枠１６０２の周方向に等間隔をおいて）３つのガイド柱５０（特許請求の範囲の柱体に相当）が前記光軸と平行をなすように突設され、言い換えると、３つのガイド柱５０は、後述するカム環２０の周方向に等間隔をおいて突設され、後述する第２レンズ保持枠１６０２の内周面１６２０（図３３参照）に臨んでいる。
本実施例では、ガイド柱５０は合成樹脂製でベース１２と一体成型されている。
図２７に示すように、ガイド柱５０は、その断面が、ウェブ５００２と、このウェブ５００２の両端のフランジ５００４からなるI字状を呈している。
ガイド柱５０は、前記断面を構成するウェブ５００２の延在方向が、ガイド柱５０の半径方向外方に位置する円筒壁１２０８箇所を通る接線方向に平行するように配置されている。言い換えると、ガイド柱５０は、後述する第２レンズ保持枠１６０２箇所を通る接線に平行するように配置されている。
【００１７】
図８に示すように、ギア収容部１２５０は、前方に開放された開口１２５０Ａと前記光軸側に臨む側方に開放された開口１２５０Ｂとを有し、ギア列からなる減速機構１２５２を収容している。この減速機構１２５２は、前記駆動部１４６を構成するモータ１２５４の駆動軸が回転された際に、その回転駆動力を減速しカム環２０に伝達しカム環２０を回転させるものである。
モータ１２５４はギア収容部１２５０に取着され、減速機構１２５２を構成する上流端のギアはモータ１２５４の駆動ギア１２５６に噛合し、減速機構１２５２を構成する下流端のギアは開口１２５０Ｂを介してカム環２０の外周に設けられたギア部２００４に噛合している。
【００１８】
図９、図２１に示すように、ベース１２の後面１２１２にはフレキシブル基板６０が取着されている。より詳細には、取付金具７４をフレキシブル基板６０の後面に当て付け、取付金具７４の両側に設けられた係合凹部７４０２をベース１２の両側の係合凸部１２３２に係合させることでメインフレキシブル基板６０がベース１２に取着されている。
フレキシブル基板６０には、第３レンズ保持枠１８０２の位置検出用のホール素子７００２などが実装され、また、フレキシブル基板６０にはモータ１２５４の端子部に電気的に接続される接続部が設けられている。
ホール素子７００２からの検出信号はフレキシブル基板６０を介して制御部１４８に供給され、制御部１４８からの駆動信号はフレキシブル基板６０を介してモータ１２５４に供給される。
図１７に示すように、ホール素子７００２はべース１２の後面１２１２に設けられた取り付け凹部１２４０に収容されて配設される。
撮像素子１４０は不図示のフレキシブル基板に実装され、撮像素子１４０からの撮像信号はこの不図示のフレキシブル基板を介して画像処理部１４２に供給される。
【００１９】
図２２、図２７に示すように、第３レンズ保持枠１８０２は３群レンズ１８を保持する枠本体１８０４を有している。
枠本体１８０４の前記光軸を挟む２箇所に軸受け１８０６、１８０８が設けられ、これら軸受け１８０６，１８０８に前記ガイド軸１２１６，１２１８が挿通されることで第３レンズ保持枠１８０２は前記光軸方向に移動可能にかつ光軸回り方向に回転不能に支持されている。
枠本体１８０４が前記マグネット４００２に臨む箇所にはマグネット４００２が第３レンズ保持枠１８０２に臨む面と直交する軸線回り（前記光軸と直交する軸線回り）に巻回されたコイル４００６が接着剤などによって固定されている。コイル４００６はコイル用フレキシブル基板４００８を介して前記フレキシブル基板６０に電気的に接続され、制御部１４８からの駆動信号がフレキシブル基板６０、４００８を介してコイル４００６に供給される。
本実施例では、マグネット４００２、バックヨーク４００４、コイル４００６によってリニアモータ４０が構成されており、コイル４００６に制御部１４８から駆動電流が供給されることによりコイル４００６から発生された磁界と、マグネット４００２の前記第１、第２領域の磁界との磁気相互作用により第３レンズ保持枠１８０２が前記光軸方向の前方あるいは後方に移動させる駆動力が発生するように構成されている。
図９、図２２に示すように、枠本体１８０４が前記ホール素子７００２に臨む箇所には、マグネット７００４がバックヨーク７００６を介して接着などにより取着されている。
本実施例では、ホール素子７００２によってマグネット７００４の磁力の強さ（磁束密度）が検出され、ホール素子７００２によって生成された検出信号が制御部１４８に供給されることによって制御部１４８で第３レンズ保持枠１８０２の前記光軸方向の位置が検出されるように構成されており、これらホール素子７００２、マグネット７００４、制御部１４８によって位置検出機構７０が構成されている。
【００２０】
図１０、図１８に示すように、第２レンズ保持枠１６０２は２群レンズ１６を保持する環板部１６０６と、環板部１６０６の外周部で周方向に等間隔をおいた３箇所からそれぞれ軸方向に延在するガイド部１６０８とを備えている。
ガイド部１６０８が環板部１６０６の半径方向内側に面した箇所（第２レンズ保持枠１６０２の内周部）にはガイド溝１６０４が形成されている。
図２７に示すように、ガイド溝１６０４は、互いに対向する側面１６０４Ａとそれら側面１６０４Ａの奥部を接続する底面１６０４Ｂとで第２レンズ保持枠１６０２の半径方向内側に開放状に形成され、ガイド溝１６０４は前記光軸と平行をなして延在している。
各ガイド溝１６０４にはそれぞれガイド柱５０が係合され、これにより第２レンズ保持枠１６０２は３つのガイド柱５０により回転不能かつ軸方向（前記光軸方向）に移動可能に支持されている。
より詳細には、ガイド柱５０を構成する両端のフランジ５００４の外面５００４Ａが第２レンズ保持枠１６０２のガイド溝１６０４の側面１６０４Ａに係合することで第２レンズ保持枠１６０２の周方向への動きが阻止され、両端のフランジ５００４の端面５００４Ｂがガイド溝１６０４の底面１６０４Ｂに係合することで第２レンズ保持枠１６０２の半径方向への動きが阻止されている。
また、ガイド部１６０８の延在方向と直交する方向の両側には側面１６０８Ａが形成され、ガイド部１６０８が半径方向外方に臨む面には外面１６０８Ｂが形成されている。
ガイド溝１６０４の半径方向外側に面した第２レンズ保持枠１６０２の箇所（ガイド部１６０８の箇所）で後方寄りの箇所には第２カムピン１６１０が前記半径方向外方に突設されている。
図１８に示すように、各ガイド部１６０８の第２カムピン１６０１０は、後述する第１レンズ保持枠１４０２の外周部に形成された切り欠き１４１０を貫通して第１レンズ保持枠１４０２の外周部から突設され、図１９に示すように、カム環２０の第２カム溝２０１２に係合し、カム環２０の回転により第２カムピン１６１０が第２カム溝２０１２により案内されて第２レンズ保持枠１６０２が前記光軸方向に移動するように構成されている。
【００２１】
図１０、図１８、図３１〜図３３に示すように、電装部１９は第２レンズ保持枠１６０２の後部に設けられ、第２レンズ保持枠１６０２と一体的に前記光軸方向に移動するように構成されている。
電装部１９は、シャッタの機能と可変絞りの機能を備え、フレキシブル基板８０（図３２参照）を介してフレキシブル基板６０に電気的に接続されている。制御部１４８からの駆動信号がフレキシブル基板６０、８０を介して電装部１９に供給される（授受される）ことで前記シャッタと可変絞りの動作が制御される。
【００２２】
図１０、図１８に示すように、第１レンズ保持枠１４０２は、１群レンズ１４を保持する筒体１４０４を有し、筒体１４０４が半径方向内側に面した箇所（第１レンズ保持枠１４０２の内周部）には、第２レンズ保持枠１６０２のガイド部１６０８に係合するガイド溝１４０６が軸方向に沿って延在形成されている。
図２７に示すように、ガイド溝１４０６は、互いに対向する側面１４０６Ａとそれら側面１４０６Ａの奥部を接続する底面１４０６Ｂとで第１レンズ保持枠１４０２の半径方向内側に開放状に形成されている。
第１レンズ保持枠１４０２の各ガイド溝１４０６にはそれぞれガイド部１６０８が係合され、これにより第１レンズ保持枠１４０２は３つのガイド部１６０８により回転不能かつ軸方向に移動可能に支持されている。
より詳細には、ガイド部１６０８の両側面１６０８Ａがガイド溝１４０６の両側面１４０６Ａに係合することで第１レンズ保持枠１４０２の周方向への動きが阻止され、ガイド部１６０８の外面１６０８Ｂがガイド溝１４０６の底面１４０６Ｂに係合することで第１レンズ保持枠１４０２の半径方向への動きが阻止されている。
筒体１４０４が半径方向外側に面した箇所（第１レンズ保持枠１４０２の外周部）で後方寄りの箇所には周方向に等間隔をおいて３つの第１カムピン１４１２が前記半径方向外方に突設されている。
各第１カムピン１４１２は、図１９に示すように、カム環２０の第１カム溝２０１０に係合し、カム環２０の回転により第１カムピン１４１２が第１カム溝２０１０により案内されて第１レンズ保持枠１４０２が前記光軸方向に移動するように構成されている。
また、図４（Ａ）に示す鏡筒１０の沈胴状態で、第２レンズ保持枠１６０２の第２カムピン１６１０は、図１３に示すように、第１レンズ保持枠１４０２の切り欠き１４１０内に位置し、第１レンズ保持枠１４０２の第１カムピン１４１２と、第２レンズ保持枠１６０２の第２カムピン１６１０は、前記光軸方向においてほぼ同一の箇所に位置し、かつ、周方向に間隔をおいた箇所に位置するように構成されている。
【００２３】
図１１、図１９に示すように、カム環２０は筒体２００１を有し、筒体２００１の外周面の後方寄り箇所には前記ギア部２００４が形成されている。
筒体２００１の内周面には周方向に沿って前記第１、第２カム溝２０１０，２０１２が形成され、前記内周面の後端には第１、第２カム溝２０１０，２０１２に接続された第１、第２開放溝２０１０Ａ、２０１２Ａが形成されている。
なお、第１レンズ保持枠１４０２の第１カムピン１４１２の第１カム溝２０１０への係合は、第１開放溝２０１０Ａから第１カムピン１４１２を第１カム溝２０１０に挿入することでなされる。
また、第２レンズ保持枠１６０２の第２カムピン１６１０の第２カム溝２０１２への係合は、第２開放溝２０１２Ａから第２カムピン１６１０を第２カム溝２０１２に挿入することでなされる。
【００２４】
図１１、図１９に示すように、固定環２２は、筒体２２０２と、筒体２２０２の前方寄り箇所に取着された蓋部２２０４とを有している。
筒体２２０２は、ベース１２の円筒壁１２０８の外径よりも大きな寸法の内径を有し、ギア収容部１２５０の前記収容空間と連通する開口２２０３が形成されている。
ギア収容部１２５０内のギア列の下流端のギアは開口２２０３を介してカム環２０のギア部２００４に噛合している。
固定環２２は、筒体２２０２の内側に第１レンズ保持枠１４０２、第２レンズ保持枠１６０２、第３レンズ保持枠１８０２、カム環２０を収容し、かつ、蓋部２２０４でギア収容部１２５０の開口１２５０Ａを閉塞した状態で、筒体２２０２の後端部がベース１２の前面１２１４にねじなどによって取着される。
【００２５】
次に本発明の特徴部分であるフレキシブル基板８０の引き回しについて説明する。
まず、フレキシブル基板８０から説明する。
図３０（Ａ）、（Ｂ）はフレキシブル基板８０の斜視図である。
図３１は沈胴状態におけるフレキシブル基板８０の状態を示す鏡筒の断面図、図３２は広角状態におけるフレキシブル基板８０の状態を示す鏡筒の断面図、図３３は望遠状態におけるフレキシブル基板８０の状態を示す鏡筒の断面図である。
図３４（Ａ）は沈胴状態におけるフレキシブル基板８０の状態を示す説明図、（Ｂ）は広角状態におけるフレキシブル基板８０の状態を示す説明図である。
図３５はフレキシブル基板８０の引き回しを示す斜視図、図３６はフレキシブル基板８０が挿通されるベース１２部分の平面図である。
【００２６】
図３０に示すように、フレキシブル基板８０は、可撓性を有する絶縁基板に銅などの導電材料による導電パターンが形成されたものであり、帯板状に形成されている。
フレキシブル基板８０の基端部８００２にはフレキシブル基板６０に電気的に接続される接続端子が形成され、先端部８００４には電装部１９に電気的に接続される接続端子が形成されている。
基端部８００２と先端部８００４の間は均一幅を有する接続部８００６で接続され、接続部８００６の基端部８００２寄りの箇所には接続部８００６の幅方向の一方が膨出された幅広部８００８が形成されている。
接続部８００６の一方の面のうち、基端部８００２と接続部８００６の境目から所定長さにわたる部分にはフレキシブル基板８０よりも硬い材料（例えば合成樹脂材料）で形成された帯板状の補強板８２が両面接着テープなどによって貼り付けられている。
補強板８２は、図３５に示すように、フレキシブル基板８０がガイド柱５０に沿って配設された状態で、補強板８２の上端がガイド柱５０の上端よりもベース１２寄りの箇所に位置するように構成されている。言い換えると、補強板８２は、ガイド柱５０の長さに対応した長さで設けられ、フレキシブル基板８０がガイド柱５０の面に臨む箇所にガイド柱５０に沿って延在するようにフレキシブル基板８０に取着されている。
したがって、フレキシブル基板８０のうち補強板８２が貼り付けられている部分は、補強板８２の形状にならって直線状に延在した状態が保持されている。
一方、フレキシブル基板８０のうち補強板８２が貼り付けられていない部分、すなわち、基端部８００２、基端部８００２と接続部８００６の間の部分、先端部８００４寄りの接続部８００６の部分、先端部８００４は可撓性を有した状態となっている。
【００２７】
次にフレキシブル基板８０の引き回しについて説明する。
図３６に示すように、３つのガイド柱５０のうちの１つのガイド柱５０が設けられているベース１２の部分には、フレキシブル基板挿通用の挿通孔１２６０が設けられている。
挿通孔１２６０は、円筒壁１２０８の半径方向の外方に向いたガイド柱５０の外側に設けられている。
挿通孔１２６０は、ガイド柱５０のウェブ５００２の面と各フランジ５００４の内面とで形成される輪郭に沿って形成されフレキシブル基板８０の接続部８００６の幅よりも大きな寸法の幅で形成された幅狭孔部１２６０Ａと、幅狭孔部１２６０Ａに接続されフレキシブル基板８０の幅広部８００８の幅よりも大きな寸法の幅で形成された幅広孔部１２６０Ｂとで形成されている。
【００２８】
フレキシブル基板８０を引き回すにあたって、図３５に示すように、フレキシブル基板８０の先端部８００４をベース１２の後面１２１２から幅広孔部１２６０Ｂに挿入する。そして、幅広部８００６が、ベース１２に設けられた段部１２６２に当接するまで挿入し、接続部８００６を幅狭孔部１２６０Ａに位置させる。これによりフレキシブル基板８０はベース１２の前面１２１４から前方に延出された状態となる。
このようにしてベース１２の前方に導出されたフレキシブル基板８０の接続部８００６を第２レンズ保持枠１６０２の内周面１６２０（図３４参照）に臨むガイド柱５０の面に沿って、すなわちガイド柱５０の両端のフランジ５００４の間でウェブ５００２に沿って配設する。これにより、フレキシブル基板８０はガイド溝１６０４とガイド柱５０とで構成される空間に沿って延在することになる。より詳細には、フレキシブル基板８０は第２レンズ保持枠１６０２のガイド溝１６０４の底面１６０４Ｂとこの底面１６０４Ｂに臨むガイド柱５０の面とで構成される空間に沿って延在する。
次いで、フレキシブル基板８０の基端部８００２の接続端子をフレキシブル基板６０にハンダ付けなどにより電気的に接続し固定する。より詳細には、基端部８００２は、フレキシブル基板６０を介してベース１２の後面１２１２に固定され、この基端部８００２が固定されるベース１２の後面１２１２の箇所は、ガイド柱５０に対して円筒壁１２０８の半径方向の外側に位置している。
したがって、接続部８００６と基端部８００２の境の部分は、図３０に示すように９０度屈曲されることになり、この屈曲された境の部分で生じる反力によって接続部８００６はガイド柱５０の面（ウェブ５００２の面）側に押し付けられる方向に付勢される。
また、フレキシブル基板８０の先端部８００４の接続端子を電装部１９にハンダ付けなどにより電気的に接続し固定する。
これでフレキシブル基板８０の引き回しが完了する。
【００２９】
次に鏡筒１０が沈胴状態、広角状態、望遠状態に移動した場合のフレキシブル基板８０の動きについて説明する。
図３１、図３４（Ａ）に示すように、鏡筒１０が沈胴状態にある場合には、第２レンズ保持枠１６０２が最もベース１２寄りの箇所に位置しているため、フレキシブル基板８０の接続部８００６の基端部８００２寄り部分は、ガイド溝１６０４とガイド柱５０とで構成される空間に沿って延在し、接続部８００６の長手方向の中間部がガイド柱５０の前端で１８０度屈曲され、接続部８００６の先端部８００４寄り部分がベース１２方向に延在した状態となっている。
言い換えると、フレキシブル基板８０の先端部８００４寄り部分は、ガイド柱５０の前端で折り返され第２レンズ保持枠１６０２の内周面１６２０に臨むガイド柱５０の面とは反対側に位置するガイド柱の面に沿ってベース１２側に向けて延在した状態となっている。
図３２に示すように、鏡筒１０が沈胴状態から広角状態に移動すると、第２レンズ保持枠１６０２が僅かに前方に移動するため、フレキシブル基板８０の先端部８００４が前方に移動した分だけ、１８０度屈曲された部分（ガイド柱５０の前端に臨む部分）がガイド柱５０の前端から前方に移動する。
図３３、図３４（Ｂ）に示すように、鏡筒１０が広角状態から望遠状態に移動すると、フレキシブル基板８０の先端部８００４が前方に移動した分だけ、１８０度屈曲された部分（ガイド柱５０の前端に臨む部分）がガイド柱５０の前端から前方に大きく移動する。
この際、ガイド柱５０の前端よりも先に位置する接続部８００６はフレキシブル基板８０の弾性によりガイド軸５０のウェブ５００２の面の延長方向に沿って、言い換えると、ガイド柱５０の前端から前方に第２レンズ保持枠１６０２の内周面１６２０に沿って直線状に延在する。
なお、鏡筒１０が望遠状態から広角状態に移動した場合、あるいは、鏡筒１０が広角状態から沈胴状態に移動した場合には、それぞれ上述した順番と逆の順番でフレキシブル基板８０が移動する。
【００３０】
本実施例によれば、軸方向に延在し第２レンズ保持枠１６０２の内周面１６２０に臨むガイド柱５０がベース１２から立設され、フレキシブル基板８０は、第２レンズ保持枠１６０２の内周面１６２０に臨むガイド柱５０の面に沿ってベース１２から延出されその先端部８００４が電装部１９に接続されているので、第２レンズ保持枠１６０２が移動してもフレキシブル基板８０はガイド柱５０に沿った状態が保たれるため、フレキシブル基板８０の部分が第２レンズ保持枠１６０２に干渉せずレンズ保持枠の円滑な移動を確保しつつ、フレキシブル基板８０の占有スペースを最小限に維持することができ、鏡筒１０の小型化を図る上で有利となりひいては撮像装置１００の小型化を図る上でも有利となる。
また、本実施例では、フレキシブル基板８０は第２レンズ保持枠１６０２のガイド溝１６０４の底面１６０４Ｂとこの底面１６０４Ｂに臨むガイド柱５０の面とで構成される空間に沿って延在しているため、占有スペースを削減する上で有利となる。
また、本実施例では、フレキシブル基板８０の接続部８００６の一方の面に補強板８２を取着したので、第２レンズ保持枠１６０２の移動により接続部８００６を屈曲させる方向（圧縮させる方向）の力が作用しても接続部８００６がガイド柱５０の面に沿った姿勢を維持することができ、フレキシブル基板８０が第２レンズ保持枠１６０２に干渉することを防止でき、第２レンズ保持枠１６０２を円滑に移動させる上で有利となる。
【００３１】
また、本実施例によれば、ベース１２にはカム環２０の周方向に間隔をおいて３つのガイド柱５０が軸方向と平行をなすように突設され、第２レンズ保持枠１６０２の内周部が各ガイド柱５０に係合することでそれら各ガイド柱５０により第２レンズ保持枠１６０２が径方向に回転不能かつ軸方向に移動可能に支持されるので、前記光軸を中心とし各ガイド柱５０を通る円周上で各ガイド柱５０の間のスペースを利用して例えば図２７に示すようにガイド軸１２１６、１２１８やマグネット４００２などのような撮像装置の構成部材を配設でき、直進案内環を第１、第２レンズ保持枠１４０２，１６０２の外周とカム環２０の内周の間に配置する場合に比較して、鏡筒１０の直径方向の寸法を縮小する上で有利となり、撮像装置１００の小型化を図る上でも有利となる。
また、第１、第２レンズ保持枠１４０２，１６０２をベース１２に組み込む場合には、ベース１２の各ガイド柱５０に第２レンズ保持枠１６０２のガイド溝１６０４を係合させて第２レンズ保持枠１６０２をベース１２方向に挿入し、次いで、各ガイド部１６０８に第１レンズ保持枠１４０２のガイド溝１４０６を係合させて第１レンズ保持枠１４０２をベース１２方向に挿入するので、第１、第２レンズ保持枠１４０２，１６０２の組み立てを簡単に行うことができる。
また、鏡筒１０の沈胴状態で、第１レンズ保持枠１４０２の第１カムピン１４１２と、第２レンズ保持枠１６０２の第２カムピン１６１０は、前記光軸方向においてほぼ同一の箇所に位置し、かつ、周方向に間隔をおいた箇所に位置するので、第１、第２カムピン１４１２、１６１０をカム環２０の第１、第２開放溝２０１０Ａ、２０１２Ａから第１、第２カム溝２０１０，２０１２に同時に挿入することができ、従来のように一方のカムピンをカム溝に挿入した後、カム環２０を１回転させ、その後に他方のカムピンをカム溝に挿入する場合に比べて組み立て作業を簡素化する上で有利となる。
また、本実施例では、ガイド柱５０は、その断面が、ウェブ５００２と、このウェブ５００２の両端のフランジ５００４からなるI字状を呈しているため、ガイド柱５０の強度を確保しつつガイド柱５０の占有スペースを削減する上で有利となる。
また、本実施例では、ガイド柱５０を構成する両端のフランジ５００４の外面５００４Ａが第２レンズ保持枠１６０２のガイド溝１６０４の側面１６０４Ａに係合し、両端のフランジ５００４の端面５００４Ｂがガイド溝１６０４の底面１６０４Ｂに係合しているので、ウェブ５００２の部分とガイド溝１６０４の底面１６０４Ｂとの間にデッドスペースが形成されている。したがって、ガイド溝１６０４の半径方向外側に面した第２レンズ保持枠１６０２の箇所に第２カムピン１６１０を圧入することで第２カムピン１６１０の圧入方向の先端部がレンズ保持枠１６０２の内周面から突出した場合に、その先端部が前記デッドスペースに収容されるので、前記ガイド柱５０のデッドスペースを有効活用することによって鏡筒１０の直径方向の寸法の縮小を図る上で有利となる。
【００３２】
なお、本実施例では、フレキシブル基板８０の接続部８００６の一方の面に補強板８２を取着した場合について説明したが、ガイド柱５０の面に沿って延出するフレキシブル基板８０の部分をガイド柱５０の面に接着剤により接着してもよい。ただし、本実施例のようにフレキシブル基板８０に補強板８２を取着した場合には、フレキシブル基板８０をガイド柱５０の面に接着するという精密な作業を行う必要がないため組立て作業の簡素化を図る上で有利である。
また、本実施例では、電装部１９がシャッタの機能と可変絞りの機能を備えた場合について説明したが、電装部１９の機能はシャッタや可変絞りに限定されない。
また、本実施例では、ガイド柱５０を３つ設けた場合について説明したが、ガイド柱５０は２つあるいは４つ以上設けてもよいことはもちろんである。
また、本実施例では、レンズ保持枠が第１レンズ保持枠と第２レンズ保持枠の２つである場合について説明したが、本発明はレンズ保持枠が１つの場合にも無論適用される。
また、本実施例では、撮像装置としてデジタルスチルカメラを用いて説明したが、本発明は、ビデオカメラ、その他種々の撮像装置に適用可能である。
【図面の簡単な説明】
【００３３】
【図１】実施例１の撮像装置を前方から見た斜視図である。
【図２】実施例１の撮像装置を後方から見た斜視図である。
【図３】実施例１の撮像装置の構成を示すブロック図である。
【図４】鏡筒１０の状態を説明する斜視図で、（Ａ）が不使用時のレンズ収納状態すなわち沈胴状態を示し、（Ｂ）が使用時のレンズ突出状態（広角状態あるいは望遠状態）を示す。
【図５】沈胴状態にある鏡筒１０の断面図である。
【図６】広角状態にある鏡筒１０の断面図である。
【図７】望遠状態にある鏡筒１０の断面図である。
【図８】鏡筒１０を前方から見た分解斜視図である。
【図９】図８のうち第３レンズ保持枠、ベース、フレキシブル基板を示す分解斜視図である。
【図１０】図８のうち第１レンズ保持枠、第２レンズ保持枠、自動露光装置を示す分解斜視図である。
【図１１】図８のうち固定環、カム環を示す分解斜視図である。
【図１２】第１レンズ保持枠、第２レンズ保持枠、ベースを示す分解斜視図である。
【図１３】図１２の組み立て図である。
【図１４】カム環、第１レンズ保持枠、第２レンズ保持枠、ベースを示す分解斜視図である。
【図１５】図１４の組み立て図である。
【図１６】図１６は鏡筒１０を後方から見た分解斜視図、
【図１７】図１６のうち第３レンズ保持枠、ベース、フレキシブル基板を示す分解斜視図である。
【図１８】図１６のうち第１レンズ保持枠、第２レンズ保持枠、自動露光装置、第３レンズ保持枠を示す分解斜視図である。
【図１９】図１６のうち固定環、カム環、第１レンズ保持枠を示す分解斜視図である。
【図２０】第１レンズ保持枠、第２レンズ保持枠、ベースを示す分解斜視図である。
【図２１】固定環、カム環、第１レンズ保持枠、第２レンズ保持枠、第３レンズ保持枠、フレキシブル基板の組み立て図である。
【図２２】第３レンズ保持枠、ベースの分解斜視図である。
【図２３】図２２の組み立て図である。
【図２４】図２３のＡ矢視図である。
【図２５】図２４のＸＸ線断面図である。
【図２６】第１レンズ保持枠、第２レンズ保持枠、ベースが組み立てられた状態で光軸と平行な面で破断した状態を示す斜視図である。
【図２７】レンズ鏡筒を光軸と平行な面で破断した断面図である。
【図２８】レンズ鏡筒を光軸と平行な面で破断した断面図である。
【図２９】図２８のＹＹ線断面図である。
【図３０】（Ａ）、（Ｂ）はフレキシブル基板８０の斜視図である。
【図３１】沈胴状態におけるフレキシブル基板８０の状態を示す鏡筒の断面図、
【図３２】広角状態におけるフレキシブル基板８０の状態を示す鏡筒の断面図である。
【図３３】望遠状態におけるフレキシブル基板８０の状態を示す鏡筒の断面図である。
【図３４】（Ａ）は沈胴状態におけるフレキシブル基板８０の状態を示す説明図、（Ｂ）は広角状態におけるフレキシブル基板８０の状態を示す説明図である。
【図３５】フレキシブル基板８０の引き回しを示す斜視図である。
【図３６】フレキシブル基板８０が挿通されるベース１２部分の平面図である。
【符号の説明】
【００３４】
１００……撮像装置、１０……鏡筒、１２……ベース、１９……電装部、１６０２……第２レンズ保持枠、１６２０……内周面、５０……ガイド柱、８０……フレキシブル基板。
【図１】
2006064833.tif 000003
【図２】
2006064833.tif 000004
【図３】
2006064833.tif 000005
【図４】
2006064833.tif 000006
【図５】
2006064833.tif 000007
【図６】
2006064833.tif 000008
【図７】
2006064833.tif 000009
【図８】
2006064833.tif 000010
【図９】
2006064833.tif 000011
【図１０】
2006064833.tif 000012
【図１１】
2006064833.tif 000013
【図１２】
2006064833.tif 000014
【図１３】
2006064833.tif 000015
【図１４】
2006064833.tif 000016
【図１５】
2006064833.tif 000017
【図１６】
2006064833.tif 000018
【図１７】
2006064833.tif 000019
【図１８】
2006064833.tif 000020
【図１９】
2006064833.tif 000021
【図２０】
2006064833.tif 000022
【図２１】
2006064833.tif 000023
【図２２】
2006064833.tif 000024
【図２３】
2006064833.tif 000025
【図２４】
2006064833.tif 000026
【図２５】
2006064833.tif 000027
【図２６】
2006064833.tif 000028
【図２７】
2006064833.tif 000029
【図２８】
2006064833.tif 000030
【図２９】
2006064833.tif 000031
【図３０】
2006064833.tif 000032
【図３１】
2006064833.tif 000033
【図３２】
2006064833.tif 000034
【図３３】
2006064833.tif 000035
【図３４】
2006064833.tif 000036
【図３５】
2006064833.tif 000037
【図３６】
2006064833.tif 000038